(57)【特許請求の範囲】
【請求項１】
振動発生側又は振動受け側のいずれか一方側へ取付けられる第１取付部材と、他方側へ取付けられる第２取付部材と、これらの間に介在される弾性本体部材とを備え、弾性本体部材を壁の一部とする主液室と、この主液室と仕切り部材で仕切られ、可撓膜部材で覆われる副液室と、これら両液室を連通するオリフィス通路とを備えた液封マウントを複数用いてパワーユニットを車体へ支持するとともに、クランク軸を挟んで互いに反対側となる位置へ配置された第１液封マウントと第２液封マウントを備えるパワーユニット支持装置において、前記第１液封マウントを、主液室と副液室を常時連通している減衰オリフィス通路、エンジンのアイドル時に連通して前記減衰オリフィス通路よりも高周波側の周波数ｆ１１で液柱共振を発生するアイドルオリフィス通路、発進時に前記アイドル時の液柱共振よりも高周波側で液柱共振を発生する発進時共振手段及び弾性変形により主液室の内圧を吸収する弾性可動膜であってその膜剛性を可変とする剛性可変膜、並びにアイドル時にアイドルオリフィス通路を開くアイドルオリフィス開閉手段及び剛性可変膜を自由状態又は変形規制状態にして膜剛性を変化させる膜剛性可変手段とを備えた複式コントロールマウントとし、前記第２液封マウントを、前記アイドルオリフィス通路及び前記アイドルオリフィス開閉手段並びに膜剛性可変手段からなる可変制御部を持たず、かつ主液室と副液室を常時連通している第１オリフィス通路を有する液封マウントにするとともに、前記第１オリフィス通路を、前記減衰オリフィス通路又は前記アイドルオリフィス通路のいずれかに設定し、
かつ、第１オリフィス通路における液柱共振の周波数を前記ｆ１１と同じに設定するか、
反共振による動バネ曲線における極大値が前記周波数ｆ１１近傍に生じるような前記ｆ１１よりも低周波側の周波数ｆ０１、もしくはさらに低周波側で前記反共振の極大値も前記周波数ｆ１１より低周波側になる周波数ｆ００のいずれかに設定し、
前記第１液封マウントのアイドルオリフィス通路が前記周波数ｆ１１で液柱共振するようにアイドルオリフィス開閉手段を開閉制御することを特徴とするパワーユニット支持装置。
【請求項２】
前記第２液封マウントは、前記第１オリフィス通路よりも高周波側で液柱共振する第２オリフィス通路を備え、これら第１及び第２オリフィス通路を、前記減衰オリフィス通路、アイドルオリフィス通路及び発進時共振手段のいずれか２つに設定したことを特徴とする請求項１に記載したパワーユニット支持装置。
【発明の詳細な説明】
【０００１】
【発明の属する技術分野】
この発明はパワーユニットの前後に液封マウントを設けたパワーユニット支持装置に関する。
【０００２】
【従来の技術】
パワーユニットの前後等を複数の液封マウントで支持することは公知である。また、液封マウントの構造として、仕切壁で区画された主液室と副液室、これら両液室をエンジンのアイドル時に連通して液柱共振を発生するアイドルオリフィス通路、弾性変形により主液室の内圧を吸収する弾性可動膜であってその膜剛性を可変とする剛性可変膜、並びにアイドル時にアイドルオリフィス通路を開くアイドルオリフィス開閉手段及び剛性可変膜を自由状態又は変形規制状態にして膜剛性を変化させる膜剛性可変手段とを備えたものも公知である（一例として、特開平１０−３８０１７号がある）。
【０００３】
なお、本願において、開閉式のアイドルオリフィス通路とアイドルオリフィス開閉手段を有する液封マウントをコントロールマウントといい、そのうちさらに剛性可変膜とその膜剛性可変手段をも有するものを特に複式コントロールマウントということにする。
【０００４】
【発明が解決しようとする課題】
上記従来例のように剛性可変膜とその膜剛性可変手段を備えると、アイドル時に剛性可変膜を弾性変形不能に固定することによりアイドルオリフィス通路へ送り込む液体流量を大量にして良好な液柱共振を発生させ、その後通常走行時におけるようなより高周波側の振動に対しては剛性可変膜を弾性変形自由にして主液室の内圧を吸収して低動バネ化することができる。
【０００５】
しかしながら、本願発明者らは鋭意研究の結果、エンジン振動による車両の振動及び騒音低減に対する液封マウントの弾性制御は、単にアイドル時と一般走行時の切換えでは足りず、アイドル状態から発進時に移行して急激にエンジンの回転数が増大したとき、液封マウントの剛性が高くなってパワーユニットから車体への振動伝達が大きくなるため、かかる発進時における液封マウントの振動低減能力の増大もしくは低動バネ化を図り、パワーユニットから車体への振動伝達を阻止もしくは低減することが極めて重要であることを見出した。
【０００６】
また、このような複式コントロールマウントは高価になるため、パワーユニットの前後等を支持する一対の液封マウントを全て複式コントロールマウントにすることはコスト的に不利であり、できれば一方をより安価な可変制御部のない液封マウント（以下、このような液封マウントをパッシブマウントという）にしてコストダウンを図り、性能とコストの良好なバランスをとったパワーユニット支持装置が望まれる。そこで本願発明はこのような要請の実現を目的とする。
【０００７】
【課題を解決するための手段】
上記課題を解決するため本願のパワーユニット支持装置に係る第１の発明は、振動発生側又は振動受け側のいずれか一方側へ取付けられる第１取付部材と、他方側へ取付けられる第２取付部材と、これらの間に介在される弾性本体部材とを備え、弾性本体部材を壁の一部とする主液室と、この主液室と仕切り部材で仕切られ、可撓膜部材で覆われる副液室と、これら両液室を連通するオリフィス通路とを備えた液封マウントを複数用いてパワーユニットを車体へ支持するとともに、クランク軸を挟んで互いに反対側となる位置へ配置された第１液封マウントと第２液封マウントを備えるパワーユニット支持装置において、前記第１液封マウントを、主液室と副液室を常時連通している減衰オリフィス通路、エンジンのアイドル時に連通して前記減衰オリフィス通路よりも高周波側の周波数ｆ１１で液柱共振を発生するアイドルオリフィス通路、発進時に前記アイドル時の液柱共振よりも高周波側で液柱共振を発生する発進時共振手段及び弾性変形により主液室の内圧を吸収する弾性可動膜であってその膜剛性を可変とする剛性可変膜、並びにアイドル時にアイドルオリフィス通路を開くアイドルオリフィス開閉手段及び剛性可変膜を自由状態又は変形規制状態にして膜剛性を変化させる膜剛性可変手段とを備えた複式コントロールマウントとし、前記第２液封マウントを、前記アイドルオリフィス通路及び前記アイドルオリフィス開閉手段並びに膜剛性可変手段からなる可変制御部を持たず、かつ主液室と副液室を常時連通している第１オリフィス通路を有する液封マウントにするとともに、前記第１オリフィス通路を、前記減衰オリフィス通路又は前記アイドルオリフィス通路のいずれかに設定し、
かつ、第１オリフィス通路における液柱共振の周波数を前記ｆ１１と同じに設定するか、
反共振による動バネ曲線における極大値が前記周波数ｆ１１近傍に生じるような前記ｆ１１よりも低周波側の周波数ｆ０１、もしくはさらに低周波側で前記反共振の極大値も前記周波数ｆ１１より低周波側になる周波数ｆ００のいずれかに設定し、
前記第１液封マウントのアイドルオリフィス通路が前記周波数ｆ１１で液柱共振するようにアイドルオリフィス開閉手段を開閉制御することを特徴とする。
【０００８】
第２の発明は上記第１の発明において、前記第２液封マウントは、前記第１オリフィス通路よりも高周波側で液柱共振する第２オリフィス通路を備え、これら第１及び第２オリフィス通路を、前記減衰オリフィス通路、アイドルオリフィス通路及び発進時共振手段のいずれか２つに設定したことを特徴とする。
【０００９】
【発明の効果】
第１の発明によれば、クランク軸を挟んで互いにパワーユニットの反対側に位置させた第１液封マウント及び第２液封マウントのうちいずれか一方を発進時共振手段を有する複式コントロールマウントとしたので、アイドル時にアイドルオリフィス通路を開いて液柱共振により低動バネとする。
【００１０】
また、発進時には発進時共振手段と膜剛性可変手段が設けられているので、アイドル時から発進時へ移行してエンジンの回転数が急激に上昇しても、アイドル時の液柱共振よりも高周波側で発進時共振手段による液柱共振を発生して発進時におけるより高周波側の振動を有効に吸収できる。さらに膜剛性可変手段を制御して膜剛性を下げると弾性変形により主液室の内圧上昇を吸収して低動バネ化する。
【００１１】
そのうえ第２液封マウントをパッシブマウントとし、その第１オリフィス通路をアイドルオリフィス通路に設定し、第１液封マウントのアイドルオリフィス開閉手段を開閉し、液柱共振を略同位相になるように制御すれば、アイドル域において低動バネとなり、位相差を生じるように制御すれば、第１液封マウントと第２液封マウントにおける反力ベクトルの位相差を変化させ、合成ベクトルを減少する振動位相制御により全体入力を低減する（以下、これを簡単にして全体入力低減という）。
【００１２】
また、第１オリフィス通路を減衰オリフィス通路に設定すれば、第１液封マウントのアイドルオリフィス開閉手段を開閉することによりアイドル域で振動位相制御が可能になる。しかも、減衰オリフィス通路を有するので乗り心地を良好にできる。
【００１３】
その結果、アイドル時と発進時においてクランク軸の回転に伴って変化する前後の振動を効果的に吸収できる。したがって、発進時におけるパワーユニットから車体への振動伝達を阻止もしくは低減することができるとともに、第１液封マウントと第２液封マウントを関連づけて制御することにより、パワーユニット支持装置全体として相乗効果のある全体入力低減や低動バネの動特性を得ることができ、全体の動特性を任意に変化させることができる。
【００１４】
しかも、第２液封マウントを可変制御部のないパッシブマウントにしても、複式コントロールマウントに類似した動特性を得ることが可能になり、かつ第２液封マウント側の液柱共振発生手段が第１オリフィス通路１つだけであっても、減衰オリフィス通路とアイドルオリフィス通路又はアイドルオリフィス通路と発進時共振手段の双方を備えた液封マウントに近似した性能を得ることができる。
【００１５】
しかも、高価な複式コントロールマウントを、パワーユニットの前後等を支持する一対の液封マウントのうち一方側だけに用い、他方を最も安価なパッシブマウントにできるので、防振性能並びにコスト面で有利になり、性能とコストのバランスがとれたパワーユニット支持装置を得ることができる。
【００１６】
第２の発明によれば、第２液封マウントであるパッシブマウントに、第１オリフィス通路と第２オリフィス通路を設けたので、これら２つのオリフィス通路に対して、減衰オリフィス通路、アイドルオリフィス通路及び発進時共振手段のいずれか２つに設定できる。したがって、減衰オリフィス通路、アイドルオリフィス通路及び発進時共振手段の３つを有する複式コントロールマウントを一対で用いた場合とより近似した性能を得ることができる。
【００１７】
【発明の実施の形態】
以下、図面に基づいて実施例を説明する。図１はパワーユニットの支持構造を概略的に示すものであり、パワーユニット１はそのエンジン１ａにおけるクランク軸１ｂの軸方向を車体の左右方向へ向けた横置きエンジン形式であり、クランク軸１ｂを挟んだ前後位置を第１液封マウント２及び第２液封マウント３で支持され、かつ左右を他のマウント４，５で支持されている。これらのマウントは車体６側へ取付けられている。本実施例においては第１液封マウント２をパワーユニットの前側に設け、第２液封マウント３を後側へ設けるものとして説明する。
【００１８】
第１液封マウント２は後述する複式コントロールマウントであり、各制御部が電磁ソレノイド等の適宜切換部材７ａ，７ｂにより大気開放又はエンジンの吸気負圧等の負圧源への接続のいずれかに切換制御される。なお、切換部材７ａ，７ｂは便宜的に示したものであり、後述する同時切換関係にあるもの相互は共通化されるため、実際はこれよりも使用数が削減可能である。第２液封マウント３は後述するパッシブマウントである。なお、第１液封マウント２をパッシブマウントとし、第２液封マウント３を複式コントロールマウントにすることは任意にできる。
【００１９】
図２は本実施例における複式コントロールマウントの一例を示し、この複式コントロールマウント１０はパワーユニット側へ取付けられる第１取付部材１１と、車体側に取付けられる第２取付部材１２の間をゴム等の弾性本体部１３で連結し、この弾性本体部１３を壁の一部とする主液室１４を設けてある。主液室１４は仕切り部材１５に設けた減衰オリフィス１６により副液室１７と常時連通する。副液室１７は仕切り部材１５とダイヤフラム１８の間に形成される。主液室１４及び副液室１７内には公知の非圧縮性液体が封入される。減衰オリフィス１６は、一般走行時のような比較的低周波数域における振動により液柱共振を発生して振動を減衰させる。
【００２０】
仕切り部材１５にはアイドルオリフィス通路２０が設けられ、その副液室１７側の開口部をアイドル側開閉部材である開閉バルブ２１によりダイヤフラム１８の一部をアイドルオリフィス通路２０の出口へ接離させることにより開閉される。開閉バルブ２１は内側に密閉空間である制御室２２を形成し、底部に形成された通路２３を介して切換部材７ａと接続し、負圧と大気へ接続切換して開閉バルブ２１を図の上下方向へ移動させることによりアイドルオリフィス通路２０の出口を開閉する。開閉バルブ２１を開くとアイドルオリフィス通路２０内で液体流動が生じて液柱共振する。この液柱共振は、減衰オリフィス１６が対象とするよりも高周波側に発生するアイドル時におけるものであって、これによりアイドル時の入力振動を吸収する。
【００２１】
さらに仕切り部材１５には主液室１４へ開放されたオリフィスホール２４が形成され、その底部にゴム等の適宜弾性部材からなり、主液室１４の内圧変動をその弾性変形で吸収する発進オリフィス用可動膜２５が設けられている。この発進オリフィス用可動膜２５は膜剛性を変化するものではなく、本願発明の発進オリフィス通路であるオリフィスホール２４と共もに発進時共振手段を構成する。
【００２２】
発進時共振手段は、アイドル時から発進時へ移行してエンジンの回転数が急激に上昇したとき、主液室１４内の液体流動によってオリフィスホール２４内の液体が液柱共振を発生して、アイドル時の液柱共振よりも高周波側で低動バネとなり、発進時におけるより高周波側の振動を吸収する。なお、この液柱共振における共振周波数は発進オリフィス用可動膜２５の膜特性及びオリフィスホール２４の開口面積並びに高さで決まる容積によって自由に設定できる。
【００２３】
さらに、主液室１４に臨む弾性本体部１３の一部が主液室１４の内圧変動に応じて弾性変形自在の剛性可変膜２６をなし、この剛性可変膜２６は、外方に設けられた制御室２７を切換部材７ｂへ接続することにより、大気開放状態で自由に弾性変形でき、負圧状態では、制御室２７内のストッパ２８へ密着固定されることにより膜剛性を高くして弾性変形不能もしくは弾性変形しにくくなっている。すなわち、剛性可変膜２６は膜剛性可変の部材であり、制御室２７及びストッパ２８が膜剛性可変手段となる。
【００２４】
アイドル時以外で剛性可変膜２６の膜剛性を下げて自由に弾性変形させれば、主液室１４の内圧上昇を吸収することにより低動バネ化でき、逆にアイドル時において制御室２７内を負圧にしてストッパ２８へ密着固定することにより膜剛性を高くすれば、主液室１４からアイドルオリフィス通路２０内へ送り込む液体量を増大させて液柱共振のエネルギーを大きくすることができる。
【００２５】
主液室１４内には、第１の取付部材１１と一体化された傘部材１９が設けられ、オリフィスホール２４内における液柱共振よりも高周波側の６００Hz程度で液柱共振を発生する。なお、４気筒４サイクルエンジンの場合におけるアイドル時及び発進時における周波数は、二次振動を基準にしている。したがって、高次振動を考慮した場合には、エンジンの回転数で定義することが妥当であり、この場合には、アイドル時を５００〜１０００ｒｐｍ、発進時を１０００〜２０００ｒｐｍとすることもできる。
【００２６】
図３は複式コントロールマウントの別例であり、共通部は共通符号を付すにとどめ、相違点のみ説明する。この複式コントロールマウント３０は、仕切り部材１５に形成されたオリフィスホール２４が主液室１４と入り口３２を介して連通し、出口２５で副液室１７と連通するとともに、この入り口３２は側部可動膜３３の弾性変形を利用して進退する開閉部材３１で開閉される。この開閉部材３１は本願発明の発進側開閉部材に相当する。
【００２７】
側部可動膜３３は図２における剛性可変膜２６と同様であり、膜剛性を変化させて主液室１４内の内圧を吸収する機能を有するとともに、開閉部材３１を動作させるためのものでもあり、側部可動膜３３を負圧で吸引するか大気開放させれば開閉部材３１を開閉移動できる。この負圧又は大気開放への切り換えは、図２における制御室２７等と同様構造の作動部３４を介して行われ、作動部３４を図１の切換部材７ｂと接続して負圧と大気へ接続切換することにより側部可動膜３３の作動を制御する。
【００２８】
但し、開閉部材３１を直接ソレノイド等で移動させることもできる。開閉部材３１を直接ソレノイド等で動作させる場合は、作動部３４ソレノイドやモータ等の部材となり、切換部材７ｂは大気と負圧の間を切換るバルブではなくリレーなどの制御用部材になる。なお、制御室２２側は図２と同様に切換部材７ａと接続されて開閉バルブ２１を作動制御するようになっている。
【００２９】
このようにすると、開閉部材３１の移動により入り口３２を開いたときのみオリフィスホール２４が主液室１４と副液室１７を連通し、内部でアイドルオリフィス通路２０よりも高周波側の液柱共振を生じて低動バネになる。また、入り口３２を閉じれば、オリフィス通路としての機能はなくなるから、アイドル時に入り口３２を閉じかつアイドルオリフィス通路２０を開けば、主液室１４からアイドルオリフィス通路２０へ流れ込む流量を増大させることができる。
【００３０】
なお、図１における第１液封マウント２には、図２の複式コントロールマウント１０又は図３の複式コントロールマウント３０のいずれかを選択して用いることができる。
【００３１】
図４は可変制御機構を備えない液封マウント（以下、パッシブマウントという）の一例であり、このパッシブマウント４０は図２の複式コントロールマウント１０において、可変手段、すなわち剛性可変膜２６、制御室２７及びストッパ２８からなる膜剛性可変手段並びにアイドルオリフィス通路２０の開閉手段を省略し、さらに減衰オリフィス通路１６を省いたものに相当する。したがって、図２と共通機能部分については共通符号を用いかつ重複説明を省略する。なお、この例におけるアイドルオリフィス通路２０は前記図２の複式コントロールマウント１０における減衰オリフィス通路１６を、アイドル域で液柱共振を発生するアイドルオリフィス通路２０としてチューニングしたものであり、図２の複式コントロールマウント１０におけるように開閉式のものではない。
【００３２】
パッシブマウント４０の仕切り部材１５には、オリフィスホール２４が主液室１４へ開放されて形成され、副液室１７側は弾性可動膜２５で閉塞され、これらオリフィスホール２４と弾性可動膜２５で液柱共振発生手段を構成している。主液室１４内の液体流動によって発進域でオリフィスホール２４内の液体が液柱共振を発生して振動を吸収する。なお、この液柱共振における共振周波数は弾性可動膜２５の膜特性及びオリフィスホール２４の開口面積並びに高さで決まる容積によって自由に設定できるが、アイドルオリフィス通路２０の液柱共振周波数よりも高周波側となる。
【００３３】
図５はパッシブマウントの他の例であり、このパッシブマウント５０は上記パッシブマウント４０からさらに発進時共振手段であるオリフィスホール２４と発進オリフィス用可動膜２５を省いたものに相当し、仕切り部材１５にアイドルオリフィス通路２０が設けられているだけである。この例におけるアイドルオリフィス通路２０も図４と同様であって、前記図２の複式コントロールマウント１０における減衰オリフィス通路１６を、アイドル域で液柱共振を発生するアイドルオリフィス通路２０としてチューニングしたものであり、図２の複式コントロールマウント１０におけるように開閉式のものではない。その他の部分はほぼ同様構造であるから、図４と共通機能部分については共通符号を用いかつ重複説明を省略する。
【００３４】
表１は前側の第１液封マウント２に図２の複式コントロールマウント１０を用い、後側の第２液封マウント３に図４のパッシブマウント４０又は図５のパッシブマウント５０を用いた制御の組合せを一覧にしたものである。すなわち、図４のパッシブマウント４０を組合わせたケース１と２及び図５のパッシブマウント５０を組合わせたケース３と４につき、アイドル時の動特性、発進時の動特性並びにその後の一般走行時等における乗り心地に関する動特性をまとめたものであり、図中○は該当欄における効果のある制御が可能なこと、×は該当欄における効果が生じないことを表す。空欄は該当欄における制御ができないことを表す。
【００３５】
すなわち、図４のパッシブマウント４０を用いると、アイドル時には低動バネ化（ケース１）及び振動位相制御（ケース２）の双方が可能であり、発進時には低動バネ化のみが可能である。図５のパッシブマウント５０を用いると、アイドル時における低動バネ化（ケース３）及び振動位相制御（ケース４）の双方が可能である。但し、ケース３及び４の場合は発進時における液柱共振手段を有しないので低動バネ化及び振動位相制御のいずれも顕著な効果は生じない。また、各ケースとも減衰オリフィス通路を有しないため、これにより乗り心地を良好にするための振動吸収を期待できない。
【００３６】
図６〜図１０は制御方法を説明するグラフである。図６はケース１における前後の第１液封マウント２及び第２液封マウント３のアイドル域及び発進域における制御例を示す動バネ曲線のグラフであり、横軸に周波数（Ｈｚ）、縦軸に動バネ係数（Ｋ）と位相をとり、上中下３段に第１液封マウント２（前と表示）と第２液封マウント３（後と表示）を同じ周波数で表示してある。後側となる第２液封マウント３は、図４のパッシブマウント４０を用いた例とパッシブマウント５０を用いた例の２通りがあり、図４のパッシブマウント４０の場合を中段に示し（マウント１と表示）、図５のパッシブマウント５０の場合を下段に示す（マウント２と表示）。なお、以下の説明では第１液封マウント２に図２の複式コントロールマウント１０を用いるものとする。
【００３７】
この例で上段の第１液封マウント２は、アイドル時に開閉バルブ２１を負圧により図２の下方へ移動させてアイドルオリフィス通路２０を開くことにより、周波数ｆ１１で液柱共振し、動バネ係数は極小値（以下、これを動バネボトムという）となる。その後、開閉バルブ２１を開いたままにすると反共振による動バネ係数の極大値（以下、これを動バネピークという）が生じるところ、開閉バルブ２１をｆ１２で開から閉へ切り換えると動バネピークをカットできる。
【００３８】
このとき、剛性可変膜２６はアイドル時に制御室２７を負圧にしてストッパ２８へ密着固定しておくとともに、発進時に周波数ｆ２２で制御室２７を大気開放側へ切り換えて弾性変形自由にする。このため、周波数ｆ２２で動バネ定数が低くなり、さらにその後オリフィスホール２４内における液柱共振により周波数ｆ３１で動バネボトムを形成する。なお、図中の破線は位相であり、周波数ｆ１１で１８０°、ｆ１２で０°、ｆ３１で６０°の各近傍になる。
【００３９】
一方、第２液封マウント３では、中段の場合、アイドルオリフィス通路２０における液柱共振によって生じる動バネボトムを、周波数ｆ１１で発生させ、その反共振による動バネピークを周波数ｆ１２近傍とし、位相が略０°となるように設定する。これにより、アイドル域ではほぼ第１液封マウント２と同様に動バネ曲線を変化させ、位相も一致させるので、全体の動特性が低動バネとなる。その後の発進時にはオリフィスホール２４内における液柱共振により周波数ｆ３１で動バネボトムを形成する。したがって、発進域においても低動バネ化する。
【００４０】
下段はケース３に相当し、この場合もアイドルオリフィス通路２０における液柱共振によって生じる動バネボトムを周波数ｆ１１で発生させ、その反共振による動バネピークを周波数ｆ１２近傍とし、位相が略０°となるように設定する。これにより、アイドル域ではほぼ第１液封マウント２と同様に動バネ曲線を変化させ、位相も一致するので、全体の動特性が低動バネとなる。その後は発進時共振手段を欠くので中段のように動特性を制御することはできない。
【００４１】
図７は図６のバリエーションであり、図６がアイドル時の動特性重視であったものに対して発進域の動特性を重視した例であり。この例では第１液封マウント２及び第２液封マウント３の組合わせに変わりはなく、ただ上段の第１液封マウント２において、周波数ｆ２２よりも高周波側となりかつ周波数ｆ３１よりも低周波側となる周波数ｆ３２で制御室２７を大気開放側から負圧側に切り換えて剛性可変膜２６を弾性変形自由部状態から固定状態に変える点で相違する。
【００４２】
こうすると、第１液封マウント２のアイドル域における動バネ定数の下がりが少なくなり、かつ図６と比べて低動バネ化の程度は少なくなるが、発進域におけるオリフィスホール２４の液柱共振が強くなって低動バネ化が大きくなる。したがって、発進域の低動バネ化を促進できる。なお、図７と図６を比較すれば明らかなように、膜剛性を図６のようにアイドル時で高くしておけば、アイドルオリフィス通路２０へ流れ込む液体流量が増大するため、液柱共振が強くなり、位相も大きくなる。
【００４３】
一方、第２液封マウント３では、ケース１に相当する中段及びケース３に相当する下段とも図６と同様に制御する。これにより、アイドル域ではほぼ第１液封マウント２と同様に動バネ曲線を変化させ、位相も一致させるので、全体の動特性が低動バネとなる。さらに発進域では、上段の第１液封マウント２においてオリフィスホール２４内における液柱共振が図６よりも強くなるので、発進域においても低動バネ化がより顕著となり、発進時の動特性重視となる。
【００４４】
図８はケース２及びケース４の制御例であり、上段の第１液封マウント２は図６と同様にアイドル域特性重視の制御をする。これに対して第２液封マウント３は、中段の場合、周波数ｆ１１よりも低周波側の周波数ｆ０１にてアイドルオリフィス通路２０の液柱共振にて動バネボトムを形成し、周波数ｆ１１近傍に反共振の動バネピークを生じるように設定する。これにより、アイドル域では位相差が略１５０°近傍程度になり、振動位相制御が行われ全体入力を低減できる。発進域では図６と同様であって低動バネとなり、ケース２の制御となる。
【００４５】
また、下段はケース４に相当し、この場合も同様に周波数ｆ０１にてアイドルオリフィス通路２０の液柱共振で動バネボトムを形成し、周波数ｆ１１近傍に反共振の動バネピークを生じるように設定する。これによりアイドル域で振動位相制御が行われ全体入力を低減できる。発進域では図６と同様であって、低動バネとなる。その後は発進時共振手段を欠くので、図６と同様に中段のような動特性制御ができない。
【００４６】
中段及び下段とも、アイドルオリフィス通路２０の液柱共振による動バネボトムを、上段の周波数ｆ１１よりも低周波側に設定するのは、第２液封マウント３のパッシブマウント４０及び５０がいずれもアイドルオリフィス通路２０に開閉バルブ２１を備えないためであり、これらタイミングが固定された第２液封マウント３の液柱共振発生後に、第１液封マウント２の開閉バルブ２１をタイミングを合わせて開閉させることにより、制御が容易になる。
【００４７】
図９は、図８におけるケース２及びケース４の制御を発進域特性重視（図７）にしたものであり、上段の第１液封マウント２に対する制御を図７と同様にすれば同様の特性が得られる。
【００４８】
次に、本実施例の作用を説明する。第１液封マウント２を複式コントロールマウントとし、第２液封マウント３を、アイドルオリフィス通路２０とオリフィスホール２４（発進時共振手段）が設けられたパッシブマウント４０又はアイドルオリフィス通路２０のみを有するパッシブマウント５０にしたので、パッシブマウント４０を採用したときは、アイドル時の低動バネ又は振動位相制御及び発進時の低動バネが可能になる。パッシブマウント５０を採用したときは、アイドル時の低動バネ又は振動位相制御が可能になる。
【００４９】
このとき、第１液封マウント２を図２のように構成すれば、発進時共振手段をオリフィスホール２４とその一端を閉塞して液体流動により弾性変形する発進オリフィス用可動膜２５で構成したので、発進オリフィス用可動膜２５の弾性変形によりオリフィスホール２４内の液体が流動して所定の周波数で液柱共振を発生させることができ、発進時共振手段を簡単な構造にできる。また、剛性可変膜２６を発進オリフィス用可動膜２５とは別に設けたので、発進時共振手段と独立して制御可能になるため、剛性可変膜２６に対する制御の自由度が大きくなり、制御が容易になる。
【００５０】
一方、第１液封マウント２を図３のように構成すれば、開閉部材３１により発進オリフィスの機能を停止又は発揮の切換を明確にできるため、アイドルオリフィス通路２０と発進オリフィス通路であるオリフィスホール２４の機能を明確に分離でき、かつ相互の影響を生じないようにできるため、設定が容易になる。
【００５１】
また、第２液封マウント３を図４のように構成すると、制御が必要な可変部材を用いずにアイドル時と発進時における動特性を改善できる。しかも、この第１液封マウント２と第２液封マウント３をそれぞれクランク軸１ｂを挟んで互いにパワーユニットの反対側となる前後に位置させ、第１液封マウント２における開閉バルブ２１を第２液封マウント３のアイドルオリフィス通路２０における液柱共振と関連づけて制御するので、第２液封マウント３におけるアイドル時の液柱共振と同期するように開閉バルブ２１を開閉制御すれば、アイドル時における全体の動特性が低動バネとなり、異なるタイミングで時間差制御すれば振動位相制御により全体の動特性は全体入力低減になる。
【００５２】
さらに、発進時においては低動バネ化することができ、しかも第１液封マウント２の剛性可変膜２６を制御することにより動特性を変化させることができる。したがって、発進時におけるパワーユニット１から車体への振動伝達を効果的に阻止もしくは低減することができる。しかも、高価な複式コントロールマウントを、パワーユニットの前後等を支持する一対の液封マウントのうち一方側だけの第１液封マウント２に用い、他方の第２液封マウント３を可変制御部を持たないために安価に製造できるなパッシブマウント４０にできるので、コストダウンを図ることができる。特にパッシブマウント５０を採用すれば、最も構造が簡単で安価なパッシブマウントを使用することになり、大幅なコストダウンが可能になる。
【００５３】
本実施例では各パッシブマウント４０及び５０ともに減衰オリフィス通路を省略して乗り心地を犠牲にした形になっている。但し、マウント４又は５もしくは双方をパッシブマウント５０と同様構造で減衰オリフィス通路を有するものにすれば、乗り心地を向上させることができる。
【００５４】
なお、減衰オリフィス通路を残したままアイドル域又は発進域における動特性を改善することもできる。図１０は第２液封マウント３を構成するパッシブマウントにアイドルオリフィス通路ではなく減衰オリフィス通路を設けた制御例である。すなわち、図４のパッシブマウント４０及び図５のパッシブマウント５０それぞれにおけるアイドルオリフィス通路２０をチューニングすることにより、主として一般走行時に生じるより低周波側の振動で液柱共振を発生するように設定して減衰オリフィス通路としたものである。
【００５５】
したがって、図４のパッシブマウント４０では減衰オリフィス通路とオリフィスホール２４を含む発進時共振手段を備え、図５のパッシブマウント５０は減衰オリフィス通路だけを備えることになる。
【００５６】
図１０の上段は、図６の第１液封マウント２と同じものであり、中段は上記減衰オリフィス通路と発進時共振手段を有するパッシブマウントの制御例、下段は減衰オリフィス通路のみを有する上記パッシブマウントの制御例である。
【００５７】
まず中段において、減衰オリフィス通路による動バネボトムを、アイドル時の周波数ｆ１１より低周波側の一般走行域における周波数ｆ００で発生させ、その後これまでと同様に周波数ｆ３１でオリフィスホール２４における液柱共振を発生させる。これにより、減衰オリフィス通路の液柱共振により低周波側の振動を吸収して乗り心地を良好にできるとともに、アイドル域では、位相差が大きくなるため振動位相制御が可能になる。発進域では周波数ｆ３１による液柱共振により低動バネになる。
【００５８】
したがって、液柱共振を発生する手段として、減衰オリフィス通路と発進時共振手段の２つのみを有するだけにもかかわらず、減衰オリフィス通路、アイドルオリフィス通路及び発進時共振手段の３つを有する複式コントロールマウントの性能に近似させることができる。
【００５９】
下段においても、減衰オリフィス通路による動バネボトムを周波数ｆ００で発生させる。これにより、減衰オリフィス通路による低周波側の振動を吸収して乗り心地を良好にできるとともに、アイドル域でも振動位相制御が可能になる。したがって、この場合も液柱共振を発生する手段として減衰オリフィス通路のみを有するだけにもかかわらず、減衰オリフィス通路とアイドルオリフィス通路を備えた液封マウントの性能に近似させることができる。なお、図５のパッシブマウント５０におけるアイドルオリフィス通路２０をこの例のように減衰オリフィス通路として設定するばかりでなく、発進時共振手段用のオリフィス通路として構成することもできる。
【００６０】
また、第１液封マウント２におけるアイドルオリフィス開閉手段の切換部材７ａと膜剛性可変手段の切換部材７ｂを同時切換する場合には切換部材を共通にでき、これにより、切換部材の使用個数を削減できるので、部品点数の削減により構造が簡素化し、かつコストダウンが可能になる。さらに、上記実施例は横置きエンジンに関するものであるが、縦置きにした場合にはクランク軸の左右へ第１液封マウント２と第２液封マウント３を配置すればよい。
【表１】
0004303878.tif 000002
【図面の簡単な説明】
【図１】    パワーユニットの支持構造を概略的に示す図
【図２】    複式コントロールマウントの全断面図
【図３】    別の複式コントロールマウントの全断面図
【図４】    パッシブマウントの全断面図
【図５】    別のパッシブマウントの全断面図
【図６】    ケース１及びケース３の制御例を示す動特性のグラフ
【図７】    同様の制御例を示す動特性のグラフ
【図８】    ケース２及びケース４の制御例を示す動特性のグラフ
【図９】    同様の制御例を示す動特性のグラフ
【図１０】  上記各ケースと別の制御例を示す動特性のグラフ
【符号の説明】
１：パワーユニット、２：第１液封マウント、３：第２液封マウント、６：車体、７ａ：切換部材、７ｂ：切換部材、１０：複式コントロールマウント、１５：仕切り部材、２０：アイドルオリフィス通路、２１：開閉バルブ、２４：オリフィスホール、２５：発進時オリフィス弾性可動膜、２６：剛性可変膜、３０：複式コントロールマウント、４０：パッシブマウント、５０：パッシブマウント
【図１】
0004303878.tif 000003
【図２】
0004303878.tif 000004
【図３】
0004303878.tif 000005
【図４】
0004303878.tif 000006
【図５】
0004303878.tif 000007
【図６】
0004303878.tif 000008
【図７】
0004303878.tif 000009
【図８】
0004303878.tif 000010
【図９】
0004303878.tif 000011
【図１０】
0004303878.tif 000012